(57)【要約】【課題】エレベータが利用できないことを利用者に効果的に報知するエレベータの制御システムを提供することである。【解決手段】実施形態のエレベータの制御システムの呼びボタンは、エレベータの各階の乗り場に配設され、各階にエレベータのかごを呼ぶためのボタンである。音声出力手段は、各階の乗り場に配設され、音声案内を出力する。制御手段は、呼びボタンの操作に応じてかごを呼びボタンに対応する乗り場に着床させる呼び応答運転と異なる運転状態で呼びボタンが操作されると、呼びボタンに対応する音声出力手段から音声案内を出力させる。【選択図】図４
2016052922.tif 000002
【特許請求の範囲】
【請求項１】
エレベータの各階の乗り場に配設され、前記各階に前記エレベータのかごを呼ぶための呼びボタンと、
前記各階の乗り場に配設され、音声案内を出力する音声出力手段と、
前記エレベータを制御する制御手段とを備え、
前記制御手段は、
前記呼びボタンの操作に応じて前記かごを前記呼びボタンに対応する前記乗り場に着床させる呼び応答運転と異なる運転状態で前記呼びボタンが操作されると、前記呼びボタンに対応する前記音声出力手段から音声案内を出力させることを特徴とするエレベータの制御システム。
【請求項２】
前記制御手段は、
時刻を刻む時計部を有し、
前記時計部の時刻に応じて、前記音声出力手段から出力する音声案内の音量及び音声出力時間の少なくとも一方を調整する請求項１に記載のエレベータの制御システム。
【請求項３】
前記各階の乗り場に配設され、情報を表示する表示手段を備え、
前記制御手段は、
前記呼び応答運転と異なる運転状態の場合に、前記表示手段に前記エレベータの運転状況を示す情報を表示させる請求項１又は２に記載のエレベータの制御システム。
【発明の詳細な説明】
【技術分野】
【０００１】
本発明の実施形態は、エレベータの制御システムに関する。
【背景技術】
【０００２】
従来、地震や火災などの災害が発生した場合、エレベータの運転は管制運転に切り替わり、エレベータを通常時とは同様には利用できなくなる。この場合、エレベータの各階の乗り場に配設された乗り場操作盤（ＨＩＢ；Hall  Indicator  Box）の表示手段には、現在エレベータが利用できないことを示す情報が表示される。
【先行技術文献】
【特許文献】
【０００３】
【特許文献１】特開２０１１−１３６８２４号公報
【発明の概要】
【発明が解決しようとする課題】
【０００４】
しかしながら、エレベータが利用できないことを表示するのみでは、乗り場に居る利用者は、エレベータが利用できないことに気付かないことがあった。
【０００５】
そこで、本発明が解決しようとする課題は、エレベータが利用できないことを利用者に効果的に報知するエレベータの制御システムを提供することである。
【課題を解決するための手段】
【０００６】
実施形態のエレベータの制御システムの呼びボタンは、エレベータの各階の乗り場に配設され、前記各階に前記エレベータのかごを呼ぶためのボタンである。音声出力手段は、前記各階の乗り場に配設され、音声案内を出力する。制御手段は、前記呼びボタンの操作に応じて、前記かごを前記呼びボタンに対応する前記乗り場に着床させる呼び応答運転と異なる運転状態で、前記呼びボタンが操作されると、前記呼びボタンに対応する前記音声出力手段から音声案内を出力させる。
【図面の簡単な説明】
【０００７】
【図１】図１は、実施形態に係るエレベータの構成例を示す概略図である。
【図２】図２は、実施形態に係るエレベータの制御システムの構成例を示す概略図である。
【図３】図３は、実施形態に係る乗り場操作盤の構成例を示す正面図である。
【図４】図４は、実施形態に係るエレベータの制御システムの動作例を示すフローチャートである。
【発明を実施するための形態】
【０００８】
〔実施形態〕
実施形態に係るエレベータの制御システムの構成例について説明する。図１は、実施形態に係るエレベータの構成例を示す概略図である。図２は、実施形態に係るエレベータの制御システムの構成例を示す概略図である。図３は、実施形態に係る乗り場操作盤（ＨＩＢ）の構成例を示す正面図である。
【０００９】
エレベータ１００は、図１に示すように、かご１１０と、ウェイト１２０と、メインロープ１３０と、巻上機１４０とを有し、さらにそらせシーブ１５０と、エレベータ制御盤３とを有して構成されている。なお、実施形態では、かご１１０、ウェイト１２０、メインロープ１３０は、昇降路１６０内に配設されている。また、巻上機１４０、そらせシーブ１５０及びエレベータ制御盤３は、機械室１７０内に配設されている。なお、機械室１７０を配設せずに、巻上機１４０、エレベータ制御盤３を昇降路１６０内に配設してもよい。
【００１０】
かご１１０は、利用者が乗降するものである。かご１１０は、昇降路１６０内に配設された図示しない一対のかご用ガイドレールの間に配設され、かご用ガイドレールに対して１以上配設された図示しない案内装置を介してかご用ガイドレールに沿って昇降することで、昇降路１６０内を昇降するものである。かご１１０には、かご側ドア１１１が開閉自在に配設されている。かご側ドア１１１は、かご１１０のかご側乗降口１１２を閉塞、開放するものである。かご側ドア１１１は、かご１１０の昇降時は閉状態を維持し、かご１１０が着床した場合に、図示しない駆動装置により閉状態から開状態となる。なお、かご１１０には、図示しない開閉センサなどが配設されており、これらのセンサがエレベータ制御盤３と電気的に接続されており、かご側ドア１１１と、乗り場側ドア（ホールドア）２０１１〜ｎ（ｎは、かご１１０が停止可能な階数）とを含むドアＤの開閉状態がエレベータ制御盤３に入力される。乗り場側ドア２０１１〜ｎは、三方枠２０３に開閉自在に取り付けられている。
【００１１】
ウェイト１２０は、かご１１０の昇降に連動して昇降路１６０内を昇降するものである。ウェイト１２０は、図示しない一対のウェイト用ガイドレールの間に配設され、ウェイト用ガイドレールに対して１以上配設された図示しない案内装置を介してウェイト用ガイドレールに沿って昇降する。ここで、ウェイト１２０は、かご１１０が所定積載量（例えば、最大積載量に対して０〜１／２程度）の場合に巻上機１４０を挟んで、かご１１０と釣り合うように重量が設定されている。
【００１２】
メインロープ１３０は、かご１１０とウェイト１２０とを連結する１以上のロープであり、巻上機１４０のメインシーブ１４１及びそらせシーブ１５０に巻き掛けられている。メインロープ１３０は、かご１１０と、ウェイト１２０とをトラクション式に昇降させるものである。メインロープ１３０は、一方の端部がかご１１０に連結され、他方の端部がウェイト１２０に連結されている。メインロープ１３０は、一方の端部がかご１１０の鉛直方向上部に固定され、他方の端部がウェイト１２０の鉛直方向上部に固定されている。
【００１３】
巻上機１４０は、モータ１４２により回転することでメインシーブ１４１に巻き掛けられたメインロープ１３０を巻き上げ、かご１１０とウェイト１２０との昇降方向における相対位置を変化させることで、かご１１０を昇降路１６０内で昇降させるものである。巻上機１４０は、エレベータ制御盤３と電気的に接続されており、エレベータ制御盤３を介して供給される電力によりモータ１４２の駆動制御が行われる。
【００１４】
エレベータ１００が配設される図示しない建物には、乗り場２００１〜ｎが配設されている。乗り場２００１〜ｎは、かご１１０が停止可能な階に配設されている。乗り場２００１〜ｎには、乗り場側ドア２０１１〜ｎが開閉自在にそれぞれ配設されている。乗り場側ドア２０１１〜ｎは、乗り場２００１〜ｎの乗り場側乗降口２０２１〜ｎをそれぞれ閉塞、開放するものである。乗り場側乗降口２０２１〜ｎは、かご１１０が着床した際にかご側乗降口１１２と対向する位置に形成されている。乗り場側ドア２０１１〜ｎは、通常、閉状態であり、図示しないロック機構により、開状態への動作が規制されている。乗り場側ドア２０１１〜ｎは、かご１１０が着床して、かご側ドア１１１が閉状態から開状態に動作するのに連動して、ロック機構によるロックを解除するとともに、閉状態から開状態となる。
【００１５】
また、乗り場２００１〜ｎには、図２に示すように、乗り場操作盤２１〜ｎがそれぞれ配設されており、乗り場操作盤２１〜ｎは、エレベータ制御盤３と電気的に接続されている。乗り場操作盤２１〜ｎには、呼びボタンの一例であるホールボタン２１が配設されており、エレベータ１００の利用者がホールボタン２１を押下することで、ホールボタン２１が押下された利用者が居る乗り場２００１〜ｎにかご１１０が着床する。なお、ホールボタン２１は、押下することで反応するプッシュ式のボタンであってもよいし、触れることで反応するタッチ式のボタンであってもよい。また、ホールボタン２１が押下された状態であるか否かを視覚的に明示するために、ホールボタン２１が既に押下されていればホールボタン２１を点灯し、ホールボタン２１が押下されていなければホールボタン２１を消灯する。
【００１６】
実施形態に係るエレベータ１００の制御システム１は、図２に示すように、乗り場操作盤２１〜ｎと、エレベータ制御盤３と、災害感知手段４と、異常検出手段５とを含んで構成されている。
【００１７】
乗り場操作盤２１〜ｎは、エレベータ１００の各階における乗り場２００１〜ｎの三方枠２０３に配設され、利用者がエレベータ１００のかご１１０を呼ぶ際に操作されるものである。また、乗り場操作盤２１〜ｎは、利用者に対してかご１１０の現在位置等を示したり、エレベータ１００の運転状況等を音声でアナウンスしたりするものである。乗り場操作盤２１〜ｎの各々は、開閉方向から見た場合に、三方枠２０３の一方側で利用者が操作し易い高さに配設されている。乗り場操作盤２１〜ｎは、開閉方向の長さが９０ｍｍで、昇降方向の長さが４８０ｍｍであり、エレベータ制御盤３に電気的に接続されている。乗り場操作盤２１〜ｎは、ホールボタン２１と、表示手段２２と、スピーカー２３とを含んで構成されている。
【００１８】
ホールボタン２１は、各階にエレベータ１００のかご１１０を呼ぶためのボタンである。ホールボタン２１は、図３に示すように、乗り場操作盤２１〜ｎの各々において、昇降方向における最下部に配設されている。ホールボタン２１は、上階呼びボタン２１ａと、下階呼びボタン２１ｂとが昇降方向に上から順に配設されている。上階呼びボタン２１ａ及び下階呼びボタン２１ｂは、開閉方向及び昇降方向の長さが共に４０ｍｍである。上階呼びボタン２１ａは、乗り場２００１〜ｎのいずれかに居る利用者が上の階のいずれかの乗り場２００１〜ｎへ移動する際に用いられる。下階呼びボタン２１ｂは、乗り場２００１〜ｎのいずれかに居る利用者が下の階のいずれかの乗り場２００１〜ｎへ移動する際に用いられる。乗り場操作盤２１〜ｎは、上階呼びボタン２１ａ又は下階呼びボタン２１ｂが利用者により操作されると、かご１１０が呼ばれたことを示す呼び登録信号をエレベータ制御盤３に出力する。
【００１９】
表示手段２２は、各階の乗り場２００１〜ｎに配設され、情報を表示する。例えば、表示手段２２は、スピーカー２３の直下に配設されている。表示手段２２は例えば液晶パネルであり、開閉方向の長さが６０ｍｍであり、昇降方向の長さが２５０ｍｍである。表示手段２２は、エレベータ制御盤３から表示データを入力し、当該表示データ基づいて情報を表示する。表示手段２２は、かご１１０が現在位置する階床を表示したり、エレベータ１００の運転状況等を示す情報を表示したりする。
【００２０】
スピーカー２３は、音声出力手段の一例であり、各階の乗り場２００１〜ｎに配設され、音声案内を出力する。例えば、スピーカー２３は、表示手段２２の直上に配設され、開閉方向の長さが５０ｍｍで、昇降方向の長さが４０ｍｍである。スピーカー２３は、エレベータ制御盤３から音声案内のデータを入力し、当該音声案内のデータに基づいて音声案内を利用者に対して出力する。
【００２１】
エレベータ制御盤３は制御手段の一例であり、エレベータ１００を制御する。例えば、エレベータ制御盤３は、ホールボタン２１が押下されることにより乗り場操作盤２１〜ｎから呼び登録信号を入力して呼び登録を行い、当該乗り場操作盤２１〜ｎが配設された乗り場２００１〜ｎの階床にかご１１０を呼ぶように制御する。例えば、エレベータ制御盤３は、１階の乗り場２００１に配設された乗り場操作盤２１から呼び登録信号を入力すると、かご１１０の１階への呼び登録を行って、１階の乗り場２００１の階床にかご１１０を呼ぶように制御する。また、エレベータ制御盤３は、昇降方向へのかご１１０の移動に応じて、かご１１０が位置する階床を示す表示データを乗り場操作盤２１〜ｎに出力する。
【００２２】
また、エレベータ制御盤３は、呼び応答運転時に災害感知手段４から災害を示す災害感知信号を入力すると、呼び応答運転から管制運転に切り替える。ここで、呼び応答運転とは、利用者によるホールボタン２１の操作に応じてかご１１０をホールボタン２１に対応する乗り場２００１〜ｎに着床させる運転のことをいう。また、管制運転とは、地震や火災などの災害が発生した場合に、エレベータ１００のかご１１０の運行を制限するものであり、予め設定されたプログラムなどに基づいて運転されることをいう。地震や火災などの災害が発生した場合に、呼び応答運転から管制運転に切り替えることにより、できるだけ早期にかご１１０を最寄り階や基準階に停止させて、地震や火災などによるかご１１０への利用者の閉じ込めやエレベータ機器の損傷等を最小限に抑制することができる。
【００２３】
また、エレベータ制御盤３は、呼び応答運転時に異常検出手段５からエレベータ１００の異常を示す異常検出信号を入力すると、呼び応答運転から異常時運転に切り替える。異常時運転とは、エレベータ１００が故障したり、停電して電力の供給が停止した場合に、エレベータ１００のかご１１０の運行を制限するものであり、予め設定されたプログラムなどに基づいて運転されることをいう。エレベータ１００の故障や停電時に、呼び応答運転から異常時運転に切り替えることにより、できるだけ早期にかご１１０を最寄り階や途中階で停止させて、かご１１０への利用者の閉じ込めやエレベータ機器の損傷等を最小限に抑制することができる。なお、停電時には、予備のバッテリーに電源を切り替えて、エレベータの利用を停止させずに継続させる場合がある。このように予備のバッテリーでエレベータの利用を継続する場合は、呼び応答運転に含まれる。
【００２４】
管制運転及び異常時運転の場合は呼び非応答運転であり、利用者がホールボタン２１を操作してもホールボタン２１の操作を受け付けず、かご１１０がホールボタン２１に対応する乗り場２００１〜ｎに着床されない。
【００２５】
エレベータ制御盤３は、呼び応答運転から呼び非応答運転、すなわち管制運転又は異常時運転に切り替えると、予め設定されたプログラムなどに基づいて、かご１１０を昇降させる巻上機１４０などを制御すると共に、乗り場操作盤２１〜ｎを制御して利用者に災害又は異常を報知する。
【００２６】
例えば、エレベータ制御盤３は、管制運転又は異常時運転の場合、表示手段２２にエレベータ１００の運転状況を示す情報を表示させる。例えば、エレベータ制御盤３は、エレベータ１００が現在利用できないことなどを示す情報を表示手段２２に表示させる。
【００２７】
また、エレベータ制御盤３は、管制運転又は異常時運転の場合に、ホールボタン２１が操作されると、ホールボタン２１に対応するスピーカー２３から音声案内を出力させる。例えば、エレベータ制御盤３は、災害感知信号又は異常検出信号を入力後に、１階の乗り場操作盤２１のホールボタン２１が操作されてかご１１０が呼ばれたことを示す呼び登録信号を入力すると、１階の乗り場操作盤２１に音声案内のデータを出力してスピーカー２３から音声案内を出力させる。
【００２８】
エレベータ制御盤３は、時計部３１と、タイマー３２と、記憶部３３とを含んで構成される。時計部３１は時刻を刻み、時刻を示す時刻信号をエレベータ制御盤３に出力する。エレベータ制御盤３は、時計部３１の時刻信号に応じて、スピーカー２３から出力する音声案内の音量及び音声出力時間の少なくとも一方を調整する。例えば、時計部３１から出力される時刻信号が２３時〜翌日の７時の時間帯のように、多くの生活者が寝静まる時間帯を示す場合、エレベータ制御盤３は、スピーカー２３から出力する音声案内の音量を小さくしたり、音声案内の音声出力時間を短くしたりする。例えば、上記時間帯においては、エレベータ制御盤３は、音声案内の音量を５５ｄＢに調整し、音声案内の音声出力時間を２０秒間に調整する。一方、上記時間帯以外、すなわち７時〜２３時の時間帯においては、エレベータ制御盤３は、スピーカー２３から出力する音声案内の音量を大きくしたり、音声案内の音声出力時間を長くしたりする。例えば、エレベータ制御盤３は、音声案内の音量を６５ｄＢに調整し、音声案内の音声出力時間を３０秒間に調整する。もちろん、音声案内の音量や音声出力時間は、エレベータ１００の配設場所などに応じて適宜調整される。
【００２９】
タイマー３２は、予め設定された設定時間が経過すると停止信号をエレベータ制御盤３に出力する。例えば、タイマー３２には、音声案内を出力するための設定時間として、２０秒間と３０秒間とが設定されている。タイマー３２の設定時間は、２３時〜翌日の７時の時間帯においては２０秒間が選択され、７時〜２３時の時間帯においては３０秒間が選択される。
【００３０】
タイマー３２は、管制運転又は異常時運転の場合に、乗り場操作盤２１〜ｎから呼び登録信号が入力された時点から時間をカウントダウンして残り時間がゼロになると、停止信号をエレベータ制御盤３に出力する。エレベータ制御盤３は、タイマー３２から停止信号を入力すると、音声案内を停止するように乗り場操作盤２１〜ｎを制御する。
【００３１】
記憶部３３には、エレベータ１００の現在の運転モードが、呼び応答運転、管制運転又は異常時運転のいずれであるかを示す情報がフラグとして記憶されている。例えば、運転モードが呼び応答運転から管制運転に切り替わったとき、記憶部３３のフラグは、エレベータ制御盤３により、管制運転を示す情報に変更される。また、運転モードが呼び応答運転から異常時運転に切り替わったとき、記憶部３３のフラグは、エレベータ制御盤３により、異常時運転を示す情報に変更される。また、運転モードが管制運転又は異常時運転から呼び応答運転に復帰したとき、記憶部３３のフラグは、エレベータ制御盤３により、呼び応答運転を示す情報に変更される。なお、呼び応答運転から管制運転又は異常時運転への切り替えは、自動的に切り替わり、管制運転又は異常時運転から呼び応答運転への切り替わりは、作業員が安全を確認後に手動で切り替える。
【００３２】
記憶部３３には、乗り場操作盤２１〜ｎのスピーカー２３から出力する音声案内のデータが複数パターン記憶されている。例えば、地震が発生した場合には、地震の発生が原因でエレベータ１００が現在利用できないことや、現在の場所から避難することを示す音声案内のデータが記憶部３３に記憶されている。また、故障が生じた場合には、故障が原因でエレベータ１００が現在利用できないことを示す音声案内のデータが記憶部３３に記憶されている。
【００３３】
災害感知手段４は、地震や火災などの災害を感知するものであり、地震感知器４１と、火災感知器４２とを含んで構成される。異常検出手段５は、エレベータ１００の故障や停電を検出するものであり、停電検出部５１と、故障検出部５２とを含んで構成されている。
【００３４】
地震感知器４１は、例えば加速度検知方式が採用され、エレベータ制御盤３に電気的に接続されている。地震感知器４１は、昇降路１６０が配設された建物内に配設され、建物の揺れを感知して揺れ感知信号をエレベータ制御盤３に出力する。
【００３５】
火災感知器４２は、煙の発生や急激な温度変化などを感知するものであり、エレベータ制御盤３に電気的に接続されている。火災感知器４２は、建物内の各階に配設され、各階の火災を感知して火災感知信号をエレベータ制御盤３に出力する。
【００３６】
停電検出部５１は、エレベータ１００に電力を供給する図示しない電源とエレベータ制御盤３に電気的に接続され、当該電源の通電状態を監視し、電源からの通電がないことを検出した場合に、停電検出信号をエレベータ制御盤３に出力する。なお、エレベータ１００が予備のバッテリーを備えている場合は、停電時に主電源から切り替えられた予備のバッテリーからの通電がないことを検出した場合に、停電検出信号をエレベータ制御盤３に出力する。
【００３７】
故障検出部５２は、かご１１０の停止位置や巻上機１４０の動作などを監視する図示しないセンサとエレベータ制御盤３に電気的に接続され、かご１１０の停止位置などが異常であった場合に、エレベータ１００の故障を示す故障検出信号をエレベータ制御盤３に出力する。
【００３８】
次に、エレベータ１００の制御システムの動作例について説明する。図４は、実施形態に係るエレベータの制御システムの動作例を示すフローチャートである。図４に示すステップＳＴ１で、エレベータ制御盤３は、災害を感知したか又は異常を検出したかを判定する。例えば、エレベータ制御盤３は、地震発生時には、地震感知器４１から揺れ感知信号を入力し、火災発生時には、火災感知器４２から火災感知信号を入力する。また、エレベータ制御盤３は、エレベータ１００の停電時には、停電検出部５１から停電検出信号を入力し、エレベータ１００の故障時には、故障検出部５２から故障検出信号を入力する。エレベータ制御盤３は、揺れ感知信号、火災感知信号、停電検出信号又は故障検出信号のいずれかを入力するとステップＳＴ２に移行する。
【００３９】
ステップＳＴ２で、エレベータ制御盤３は、乗り場２００１〜ｎの呼び登録をキャンセルする。例えば、各階の乗り場２００１〜ｎに配設された乗り場操作盤２１〜ｎの各々におけるホールボタン２１が押下されていた場合、ホールボタン２１が押下された乗り場２００１〜ｎの階床にかご１１０を呼ぶ処理をキャンセルする。この場合、キャンセルされた乗り場２００１〜ｎのホールボタン２１を消灯する。すなわち、全ての乗り場２００１〜ｎのホールボタン２１が消灯され、全ての乗り場２００１〜ｎのホールボタン２１が押下されていない状態となる。次に、ステップＳＴ３に移行する。
【００４０】
ステップＳＴ３で、エレベータ制御盤３は、管制運転又は異常時運転を開始する。例えば、エレベータ制御盤３は、上述のステップＳＴ１で揺れ感知信号を入力した場合、地震による管制運転を開始してかご１１０を最寄階に停止させる。また、ステップＳＴ１で火災感知信号を入力した場合、火災による管制運転を開始してかご１１０を基準階に停止させる。また、ステップＳＴ１で停電検出信号を入力した場合、停電による異常時運転を開始してかご１１０を最寄階に停止させる。また、ステップＳＴ１で故障検出信号を入力した場合、故障による異常時運転を開始してかご１１０を最寄階又は途中階に停止させる。そして、エレベータ制御盤３は、各階の乗り場操作盤２１〜ｎに所定の表示データを出力し、全ての乗り場操作盤２１〜ｎの表示手段２２に対して、現在エレベータ１００が利用できないことを表示するように制御する。次に、ステップＳＴ４に移行する。
【００４１】
ステップＳＴ４で、エレベータ制御盤３は、管制運転又は異常時運転が終了しているか否かを判定する。例えば、エレベータ制御盤３は、記憶部３３に記憶されたフラグを参照して、管制運転、異常時運転又は呼び応答運転のいずれの運転モードが設定されているかを判定する。エレベータ制御盤３は、管制運転又は異常時運転が終了していないと判定すると、ステップＳＴ５に移行する。
【００４２】
ステップＳＴ５で、エレベータ制御盤３は、乗り場２００１〜ｎでホールボタン２１が押下されて、かご１１０の呼び登録が再登録されたか否かを判定する。例えば、エレベータ制御盤３は、上述のステップＳＴ２で呼び登録をキャンセル後に、ホールボタン２１が押下されて乗り場操作盤２１〜ｎから呼び登録信号を入力したと判定した場合、かご１１０の呼び登録が再登録されたと判定する。なお、ホールボタン２１が押下されて呼び登録が再登録されても、ホールボタン２１は消灯した状態を維持する。次に、ステップＳＴ６に移行する。
【００４３】
ステップＳＴ６で、エレベータ制御盤３は、タイマー３２を起動する。例えば、タイマー３２には、設定時間として２０秒間と３０秒間が設定されており、現在の時刻に応じていずれか一方が選択される。例えば、時計部３１から取得した現在の時刻が２３時３０分である場合、設定時間として２０秒間が選択される。
【００４４】
ステップＳＴ７で、エレベータ制御盤３は、音声案内を開始するように乗り場操作盤２１〜ｎを制御する。例えば、エレベータ制御盤３は、地震感知器４１から揺れ感知信号を入力した場合、記憶部３３に記憶された、地震の発生が原因でエレベータ１００が現在利用できないことなどを示す音声案内のデータを選択して、ステップＳＴ５で利用者により押下されたホールボタン２１の乗り場操作盤２１〜ｎに当該音声案内のデータを出力する。すなわち、利用者によりホールボタン２１が押下されていない乗り場操作盤２１〜ｎには、音声案内のデータは出力されない。利用者によりホールボタン２１が押下された乗り場操作盤２１〜ｎは、エレベータ制御盤３から音声案内のデータを入力して、スピーカー２３から利用者に向けて音声案内を開始する。次に、ステップＳＴ８に移行する。
【００４５】
ステップＳＴ８で、エレベータ制御盤３のタイマー３２は、設定時間をカウントダウンする。例えば、タイマー３２は、ステップＳＴ６で選択された設定時間（２０秒間）から、１秒単位でカウントダウンを実施する。次に、ステップＳＴ９に移行する。
【００４６】
ステップＳＴ９で、エレベータ制御盤３は、タイマー３２の設定時間が終了したか、又は管制運転若しくは異常時運転が終了したかを判定する。例えば、エレベータ制御盤３は、タイマー３２の設定時間（２０秒間）がゼロになって、タイマー３２から停止信号を入力すると、タイマー３２の設定時間が終了したと判定してステップＳＴ１０に移行する。
【００４７】
また、エレベータ制御盤３は、記憶部３３に記憶されている現在の運転モードを示すフラグを参照し、フラグが呼び応答運転を示している場合、管制運転又は異常時運転が終了したと判定してステップＳＴ１０に移行する。
【００４８】
ステップＳＴ１０で、エレベータ制御盤３は、音声案内を停止するように乗り場操作盤２１〜ｎを制御する。例えば、エレベータ制御盤３は、ステップＳＴ５で利用者により押下されたホールボタン２１の乗り場操作盤２１〜ｎに出力している音声案内のデータを停止する。これにより、ステップＳＴ５で利用者により押下されたホールボタン２１の乗り場操作盤２１〜ｎから利用者に向けて出力されていた音声案内が停止する。次に、ステップＳＴ１１に移行する。
【００４９】
ステップＳＴ１１で、エレベータ制御盤３は、記憶部３３に記憶されている現在の運転モードを示すフラグを参照し、フラグが呼び応答運転を示している場合、管制運転又は異常時運転が終了したと判定し、表示手段２２の表示内容を呼び応答運転の内容に切り替えて、実施形態に係るエレベータ１００の制御システムの処理が終了となる。
【００５０】
なお、上述のステップＳＴ１で、エレベータ制御盤３は、揺れ感知信号、火災感知信号、停電検出信号又は故障検出信号のいずれかの信号を入力するまでステップＳＴ１の判定処理を繰り返す。
【００５１】
また、上述のステップＳＴ４で、エレベータ制御盤３は、記憶部３３に記憶されている現在の運転モードを示すフラグを参照し、フラグが呼び応答運転を示している場合、管制運転又は異常時運転が終了したと判定し、表示手段２２の表示内容を呼び応答運転の内容に切り替えて実施形態に係るエレベータ１００の制御システムの処理を終了とする。
【００５２】
また、上述のステップＳＴ５で、エレベータ制御盤３は、乗り場操作盤２１〜ｎから呼び登録信号を入力しない場合ステップＳＴ４に移行し、管制運転又は異常時運転が終了していないことを確認し、その後、呼び登録が再登録されたか否かを判定する。
【００５３】
また、上述のステップＳＴ９で、エレベータ制御盤３は、タイマー３２の設定時間（２０秒間）が終了せず、かつ、管制運転又は異常時運転が終了していない場合、ステップＳＴ８に移行してタイマー３２の設定時間をカウントダウンする。
【００５４】
また、上述のステップＳＴ１１で、エレベータ制御盤３は、管制運転又は異常時運転が終了していないと判定した場合、ステップＳＴ５に移行して、かご１１０の呼び登録が再登録されたか否かを判定する。
【００５５】
以上のように、実施形態に係るエレベータ１００の制御システムによれば、エレベータ制御盤３は、管制運転又は異常時運転の場合にホールボタン２１が操作されると、ホールボタン２１に対応するスピーカー２３から音声案内を出力させるものである。
【００５６】
これにより、エレベータ１００が呼び応答運転されていないことに気付いていない利用者に限定して、エレベータ１００が利用できないことを音声案内することができる。従って、長時間に渡って繰り返しエレベータ１００の異常等を音声案内することがないので煩わしさがない。
【００５７】
すなわち、利用者がホールボタン２１を押下すると略同時に、ホールボタン２１の直近に配設されたスピーカー２３から音声案内が出力されるので、利用者は直ぐにエレベータ１００が現在利用できないことを認知することができる。
【００５８】
従来のように表示案内だけでは、エレベータ１００が現在利用できない状況を理解しにくいが、音声案内も行うことで利用者は当該状況を理解しやすくなる。また、表示する文章の文字量や表示手段のサイズによっては、利用者は、エレベータ１００が現在利用できないことを表示手段から読み取るよりも、音声で聞き取ったほうが早く状況を理解でき、利用者は迅速に対応できる。
【００５９】
また、エレベータ制御盤３は、時計部３１の時刻に応じて、スピーカー２３から出力する音声案内の音量及び音声出力時間の少なくとも一方を調整するので、音声案内をする場合に、早朝や深夜などの時間帯において、近所に迷惑がかからないようにすることができる。
【００６０】
また、エレベータ制御盤３は、管制運転又は異常時運転の場合に、表示手段２２にエレベータ１００の運転状況を示す情報を表示させるので、エレベータ１００の異常又は災害の発生を音声及び表示により利用者に報知することができ、効果的にエレベータ１００の異常等を利用者に知らせることができる。
【００６１】
なお、音声案内は、時間帯に応じて音声出力時間を調整したが、時間帯に応じて音声案内の再生回数を調整するようにしてもよい。例えば、音声案内のデータは、音声案内の開始と終了（１回分の再生）が把握可能に記憶されており、時間帯に応じて音声案内の再生回数を調整する。
【００６２】
また、管制運転又は異常時運転の場合に音声案内を出力しているとき、再度ホールボタン２１が押下されると、音声案内を停止してもよい。これは、利用者は、音声案内の内容を理解してその場から立ち去るときに、自らが開始した音声案内を停止したいと考える可能性があるからである。すなわち、音声案内を開始又は終了させるスイッチのような機能をホールボタン２１に持たせておいてもよい。
【００６３】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００６４】
２１〜ｎ  乗り場操作盤、２１  ホールボタン、２１ａ  上階呼びボタン、２１ｂ  下階呼びボタン、２２  表示手段、２３  スピーカー、３  エレベータ制御盤、４  災害感知手段、５  異常検出手段、１００  エレベータ、１１０  かご、１２０  ウェイト、１３０  メインロープ、１４０  巻上機、１６０  昇降路、１７０  機械室、２００１〜ｎ  乗り場
【図１】
2016052922.tif 000003
【図２】
2016052922.tif 000004
【図３】
2016052922.tif 000005
【図４】
2016052922.tif 000006
【手続補正書】
【提出日】平成27年10月16日(2015.10.16)
【手続補正１】
【補正対象書類名】特許請求の範囲
【補正対象項目名】全文
【補正方法】変更
【補正の内容】
【特許請求の範囲】
【請求項１】
エレベータの各階の乗り場に配設され、前記各階に前記エレベータのかごを呼ぶための呼びボタンと、前記各階の乗り場に配設され、音声案内を出力する音声出力手段と、前記エレベータを制御する制御手段とを備え、前記制御手段は、前記呼びボタンが操作された前記乗り場に前記かごを着床させる呼び応答運転と異なりかつ前記呼びボタンが操作された前記乗り場に前記かごを着床させない運転状態で前記呼びボタンが操作されると、前記呼びボタンが操作された前記乗り場の前記音声出力手段から音声案内を出力させかつ前記呼びボタンが操作されていない前記乗り場の前記音声出力手段から音声案内を出力させないことを特徴とするエレベータの制御システム。
【請求項２】
前記制御手段は、時刻を刻む時計部を有し、前記時計部の時刻に応じて、前記音声出力手段から出力する音声案内の音量及び音声出力時間の少なくとも一方を調整する請求項１に記載のエレベータの制御システム。
【請求項３】
前記各階の乗り場に配設され、情報を表示する表示手段を備え、前記制御手段は、前記呼び応答運転と異なる運転状態の場合に、前記表示手段に前記エレベータの運転状況を示す情報を表示させる請求項１又は２に記載のエレベータの制御システム。
【手続補正２】
【補正対象書類名】明細書
【補正対象項目名】０００６
【補正方法】変更
【補正の内容】
【０００６】
実施形態のエレベータの制御システムの呼びボタンは、エレベータの各階の乗り場に配設され、前記各階に前記エレベータのかごを呼ぶためのボタンである。音声出力手段は、前記各階の乗り場に配設され、音声案内を出力する。制御手段は、前記呼びボタンが操作された前記乗り場に前記かごを着床させる呼び応答運転と異なりかつ前記呼びボタンが操作された前記乗り場に前記かごを着床させない運転状態で、前記呼びボタンが操作されると、前記呼びボタンが操作された前記乗り場の前記音声出力手段から音声案内を出力させかつ前記呼びボタンが操作されていない前記乗り場の前記音声出力手段から音声案内を出力させない。